Podtech/llm-jp-corpus-v4-ja_patent huggingface dataset:
【手続補正書】
【提出日】平成17年3月9日(2005.3.9)
【手続補正１】
【補正対象書類名】明細書
【補正対象項目名】特許請求の範囲
【補正方法】変更
【補正の内容】
【特許請求の範囲】
【請求項１】
ポリシラザンおよび光重合開始剤を必須成分とする組成物（Ｘ）を用いて塗膜を形成した後に、該塗膜に活性エネルギ線を照射してポリシラザンを硬化する方法において、活性エネルギ線の照射から硬化が完了するまでの少なくとも一部、前記塗膜がカバー材で覆われていることによりポリシラザンの硬化を促進せしめることを特徴とする、ポリシラザンの硬化方法。
【請求項２】
活性エネルギ線の照射前からカバー材で覆う請求項１記載のポリシラザンの硬化方法。
【請求項３】
活性エネルギ線の照射後にカバー材で覆う請求項１記載のポリシラザンの硬化方法。
【手続補正２】
【補正対象書類名】明細書
【補正対象項目名】０００４
【補正方法】変更
【補正の内容】
【０００４】
【課題を解決するための手段】
本発明は、前述の課題を解決すべくなされたものであり、ポリシラザンおよび光重合開始剤を必須成分とする組成物（Ｘ）を用いて塗膜を形成した後に、該塗膜に活性エネルギ線を照射してポリシラザンを硬化する方法において、活性エネルギ線の照射から硬化が完了するまでの少なくとも一部、前記塗膜がカバー材で覆われていることによりポリシラザンの硬化を促進せしめることを特徴とする、ポリシラザンの硬化方法を提供する。
【手続補正書】
【提出日】平成16年8月9日(2004.8.9)
【手続補正１】
【補正対象書類名】明細書
【補正対象項目名】発明の名称
【補正方法】変更
【補正の内容】
【発明の名称】生物脱臭用充填材とそれを用いた生物脱臭装置及び方法
【手続補正２】
【補正対象書類名】明細書
【補正対象項目名】特許請求の範囲
【補正方法】変更
【補正の内容】
【特許請求の範囲】
【請求項１】
親水性合成樹脂製のより糸を型枠に並べて固定した成型物、又は、親水性合成樹脂製のより糸を並べて補強糸で編み込むことにより一体化した成形物からなる微生物を担持させるための生物脱臭用充填材であって、該より糸は、一本一本の糸同士をほぼ同一方向に向け、かつ、一本一本の糸同士の間に、毛細管現象が生じる程度の隙間を持たせて構成されることを特徴とする生物脱臭用充填材。
【請求項２】
内部に、微生物を担持させるための充填材を充填する充填層を備え、該充填層に水を供給するための給水装置と、該充填層に悪臭ガスを通気するためのガス流出入口とを有する生物脱臭装置において、前記充填材が、請求項１記載の生物脱臭用充填材であることを特徴とする生物脱臭装置。
【請求項３】
前記充填層は、前記充填材を、悪臭ガスの流れに対して、平面方向及び／又は垂直方向に積層して形成したことを特徴とする請求項２記載の生物脱臭装置。
【請求項４】
微生物を担持し、水で湿潤した充填材を充填した充填層に、悪臭ガスを通気して脱臭する生物脱臭方法において、前記充填材として、請求項１記載の生物脱臭用充填材を用いることを特徴とする生物脱臭方法。
【請求項５】
前記充填層は、前記充填材を、悪臭ガスの流れに対して、平面方向及び／又は垂直方向に積層して形成したことを特徴とする請求項４記載の生物脱臭方法。
【手続補正３】
【補正対象書類名】明細書
【補正対象項目名】０００１
【補正方法】変更
【補正の内容】
【０００１】
【発明の属する技術分野】
本発明は、臭気ガスの脱臭に係り、特に下水処理場、し尿処理場、各種工場等から発生する臭気ガスを、生物学的に脱臭するための生物脱臭用充填材とそれを用いた生物脱臭装置及び方法に関する。
【手続補正４】
【補正対象書類名】明細書
【補正対象項目名】０００６
【補正方法】変更
【補正の内容】
【０００６】
【発明が解決しようとする課題】
本発明は、上記従来技術の問題点を解消し、素材及び形状面等に利点のある親水性合成樹脂製充填材に、多硬質材と同等以上の水の伝播性を付与することによって、これまでにない高い脱臭性能を発揮することができる生物脱臭用充填材とそれを用いた生物脱臭装置及び方法を提供することを課題とする。
【手続補正５】
【補正対象書類名】明細書
【補正対象項目名】０００７
【補正方法】変更
【補正の内容】
【０００７】
【課題を解決するための手段】
上記課題を解決するために、本発明では、親水性合成樹脂製のより糸を型枠に並べて固定した成型物、又は、親水性合成樹脂製のより糸を並べて補強糸で編み込むことにより一体化した成形物からなる微生物を担持させるための生物脱臭用充填材であって、該より糸は、一本一本の糸同士をほぼ同一方向に向け、かつ、一本一本の糸同士の間に、毛細管現象が生じる程度の隙間を持たせて構成されることを特徴とする生物脱臭用充填材としたものである。
また、本発明では、内部に、微生物を担持させるための充填材を充填する充填層を備え、該充填層に水を供給するための給水装置と、該充填層に悪臭ガスを通気するためのガス流出入口とを有する生物脱臭装置において、用いる充填材が、前記生物脱臭用充填材であることを特徴とする生物脱臭装置としたものである。
さらに、本発明では、微生物を担持し、水で湿潤した充填材を充填した充填層に、悪臭ガスを通気して脱臭する生物脱臭方法において、前記充填材として、前記生物脱臭用充填材を用いることを特徴とする生物脱臭方法としたものである。
前記生物脱臭装置と方法において、充填層は、前記充填材を、悪臭ガスの流れに対して、平面方向及び／又は垂直方向に積層して形成することができる。
【手続補正書】
【提出日】平成16年12月13日(2004.12.13)
【手続補正１】
【補正対象書類名】明細書
【補正対象項目名】発明の名称
【補正方法】変更
【補正の内容】
【発明の名称】車輪支持用ハブユニットおよびその製造方法
【手続補正２】
【補正対象書類名】明細書
【補正対象項目名】特許請求の範囲
【補正方法】変更
【補正の内容】
【特許請求の範囲】
【請求項１】
車輪用ハブの車幅方向内側端部の外周面に、内輪を嵌合し、この内側端部を径方向外方にローリングプレスによって加締め加工し、前記内輪を締付・固定する車輪支持用ハブユニットの製造方法において、
加締め加工する前記内側端部の硬さを、加締め加工中に検出する工程と、
前記検出した硬さに応じて、揺動回転速度、加圧時間、加締め荷重、及び揺動角度のうち、少なくとも１つを調整する工程と、を具備することを特徴とする車輪支持用ハブユニットの製造方法。
【請求項２】
車輪用ハブの車幅方向内側端部の外周面に、内輪を嵌合し、この内側端部を径方向外方にローリングプレスによって加締め加工し、前記内輪を締付・固定する車輪支持用ハブユニットの製造方法において、
加締め加工する前記内側端部の硬さを、加締め加工前に測定する工程と、
前記検出した硬さに応じて、揺動回転速度、加圧時間、加締め荷重、及び揺動角度のうち、少なくとも１つを調整する工程と、を具備することを特徴とする車輪支持用ハブユニットの製造方法。
【請求項３】
車輪用ハブの車幅方向内側端部の外周面に、内輪を嵌合し、この内側端部を径方向外方にローリングプレスによって加締め加工し、前記内輪を締付・固定する車輪支持用ハブユニットの製造方法において、
加工中、あるいは加工前にワーク特性を検出する工程と、
前記検出したワーク特性に応じて、加工条件を制御する工程と、を具備することを特徴とする車輪支持用ハブユニットの製造方法。
【請求項４】
請求項１ないし３のいずれか一項に記載の方法により製造された車輪支持用ハブユニット。
【手続補正３】
【補正対象書類名】明細書
【補正対象項目名】０００１
【補正方法】変更
【補正の内容】
【０００１】
【発明の属する技術分野】
本発明は、車軸支持用ハブユニットおよびその製造方法に関し、特にハブユニットの加工中、あるいは加工前にワークの硬さを検出し、その硬さに適した加工条件で加締めることによって、一定の品質レベルを確保する車輪支持用ハブユニットの製造方法および該方法により製造された車輪支持用ハブユニットに関する。
【手続補正４】
【補正対象書類名】明細書
【補正対象項目名】０００９
【補正方法】変更
【補正の内容】
【０００９】
本発明は、上述したような事情に鑑みてなされたものであって、加締め前のワークの硬さがばらついても、品質、特に軸力を一定のレベルに確保する車輪支持用ハブユニットおよびその製造方法を提供することを目的とする。
【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
１本もしくは複数本を平行に配列した長尺の冷媒管と、その冷媒管の垂直方向に所定の間隔で平行に並べた複数枚のフィンからなるクロスフィン型熱交換器の製造方法において、複数の製品分だけ結合された状態で成形されるフィンのフィン成形工程と、その複数の製品分だけ結合された状態のフィンを所定間隔で平行に並べるフィン整列工程と、その複数の製品分だけ結合された状態のフィンに所定間隔であけられた通孔中に製品分の本数だけ冷媒管を通す冷媒管挿入工程と、フィンに挿入された冷媒管を全数拡管してフィンと冷媒管を密着させる冷媒管拡管工程と、複数の製品分だけ結合された状態のフィンを個別の製品に切離すフィン分断工程と、個別に切離された製品の冷媒管を所定の形状に成形する冷媒管曲げ工程と、冷媒管の内部の乾燥脱脂工程とで構成したことを特徴とする熱交換器の製造方法。
【請求項２】
前記フィン整列工程は、前記フィン成形工程で複数の製品分だけ結合された状態に成形されたフィンを所定間隔で平行に並べる際に、フィンを整列させる間隔と同等の間隔の溝を設けた櫛歯状のフィン整列治具を用いてフィンを整列させることを特徴とする請求項１記載の熱交換器の製造方法。
【請求項３】
前記櫛歯状のフィン整列治具は、所定の２種類の厚さと高さの板材を交互に組合せることで構成したことを特徴とする請求項２記載の熱交換器の製造方法。
【請求項４】
フィンを整列させる間隔と同等の間隔の溝を設けた櫛歯状の治具を用いてフィンを整列させるフィン整列工程と、フィンに挿入された冷媒管を拡管してフィンと冷媒管を密着させる冷媒管拡管工程との間のいずれかのタイミングで、前記櫛歯状の治具を用いてフィンを所定間隔に整列させた後に、その治具を所定の長さに分割して、整列したフィンを冷媒管に密着させる箇所と、フィンの接触していない所定の長さの冷媒管剥き出し箇所を、所定の箇所だけ設けるように前記櫛歯状の治具を分割することを特徴とする請求項１〜３のいずれかに記載の熱交換器の製造方法。
【請求項５】
１本もしくは複数本を平行に配列した長尺の冷媒管と、その冷媒管の垂直方向に所定の間隔で平行に並べた複数枚のフィンからなるクロスフィン型熱交換器の製造方法において、複数の製品分だけ結合された状態のフィンにはスリットと通孔が設けられており、その通孔に切断手段の刃を通して分断する方式のフィン分断工程を有することを特徴とする熱交換器の製造方法。
【請求項６】
前記フィン分断工程で、前記通孔に切断手段の刃を通して分断する際に切断手段の刃を挿入された冷媒管と逆方向に向けたことを特徴とする請求項５記載の熱交換器の製造方法。
【請求項７】
前記フィン分断工程で分断された個別の製品が有する長尺の冷媒管が１本のみであるようにすることを特徴とする請求項５又は６記載の熱交換器の製造方法。
【請求項８】
前記冷媒管曲げ工程では曲げ型と冷媒管把持部材とが用いられ、前記フィン分断工程でフィンが切り離される前に、前記曲げ型若しくは冷媒管把持部材が、製品の任意の冷媒管剥き出し箇所に応じてその冷媒管剥き出し箇所を把持固定し、フィン分断工程終了後にそのまま掴み替え無しで冷媒管の曲げ加工を行なうことを特徴とする請求項１記載の熱交換器の製造方法。
【請求項９】
そのまま掴み替え無しで冷媒管の曲げ加工を行なう際に複数の曲げ箇所を同時に曲げ加工することを特徴とする請求項８記載の熱交換器の製造方法。
【請求項１０】
前記冷媒管曲げ工程にて曲げ加工した直後に別の固定部材を成形された冷媒管の複数の箇所に同時に挿入し、その挿入方向に押し込むだけでその固定部材の一部を変形させて形状保持することを特徴とする請求項８又は９記載の熱交換器の製造方法。
【請求項１１】
請求項１〜１０に記載の熱交換器を搭載したことを特徴とする空調機、冷蔵庫、並びにその他の冷凍応用製品。
【請求項１２】
１本もしくは複数本を平行に配列した長尺の冷媒管と、その冷媒管の垂直方向に所定の間隔で平行に並べた複数枚のフィンからなるクロスフィン型熱交換器の製造装置であって、
複数の製品分だけ結合された状態で成形されるフィンには冷媒管が挿入され、かつ、前記フィンにはスリットと通孔が設けられており、
前記通孔に刃を通して前記フィンを複数に分断する切断手段を備え、この切断手段は前記フィンを分断する際に前記冷媒管とは逆方向に刃が向けられることを特徴とする熱交換器の製造装置。
【手続補正書】
【提出日】平成17年3月11日(2005.3.11)
【手続補正１】
【補正対象書類名】明細書
【補正対象項目名】特許請求の範囲
【補正方法】変更
【補正の内容】
【特許請求の範囲】
【請求項１】
一対の円環状の枠体及び該枠体に取着され外周面に識別情報の付された帯状フィルムからなる回転体と、該回転体を回転可能に支持する支軸を具備する支持フレームとを備え、前記回転体の回転に基づく遊技を行う遊技機であって、
前記回転体の内部領域に設けられ、所定の回転角度毎に回転駆動及び停止可能な駆動源と、
該駆動源の回転駆動力を前記回転体に伝達可能な駆動力伝達手段と
を備え、前記駆動力伝達手段を、前記一方の枠体側に設けたことを特徴とする遊技機。
【請求項２】
前記駆動源は、前記支軸に対し、取付手段を介して取付けられていることを特徴とする請求項１に記載の遊技機。
【請求項３】
前記回転体内部には、別装置が設けられ、該別装置は、前記支軸に対し、取付手段を介して取付けられていることを特徴とする請求項１又は２に記載の遊技機。
【請求項４】
前記別装置は、前記回転体の幅方向略中央部に対応して設けられることを特徴とする請求項３に記載の遊技機。
【請求項５】
前記駆動力伝達手段は、前記駆動源に取着された駆動プーリと、前記回転体に取付けられた被動プーリと、前記駆動プーリ及び被動プーリに架けられたベルトとにより構成されていることを特徴とする請求項１乃至４のいずれかに記載の遊技機。
【手続補正書】
【提出日】平成17年1月31日(2005.1.31)
【手続補正１】
【補正対象書類名】明細書
【補正対象項目名】特許請求の範囲
【補正方法】変更
【補正の内容】
【特許請求の範囲】
【請求項１】
入賞の成否を決める可変図柄を表示する図柄表示部の透明板の表面に、当該表示部に対面する方向から表示内容を視覚認識可能なフィルターを設けたこと、
を特徴とする遊技機。
【請求項２】
入賞の成否を決める可変図柄を表示する図柄表示部の透明板の表面及びこれを補助する視覚的演出を表示する演出表示部の表面の両方もしくはいずれか一方に、当該表示部に対面する方向から表示内容を視覚認識可能なフィルターを設けたこと、
を特徴とする遊技機。
【手続補正２】
【補正対象書類名】明細書
【補正対象項目名】０００４
【補正方法】変更
【補正の内容】
【０００４】
【課題を解決するための手段】請求項１に係る本発明の遊技機は、上記の目的を達成する為に、入賞の成否を決める可変図柄を表示する図柄表示部の透明板の表面に、当該表示部に対面する方向から表示内容を視覚認識可能なフィルターを設けたことを特徴とする。
【手続補正３】
【補正対象書類名】明細書
【補正対象項目名】０００５
【補正方法】変更
【補正の内容】
【０００５】
請求項２に係る本発明の遊技機は、入賞の成否を決める可変図柄を表示する図柄表示部の透明板の表面及びこれを補助する視覚的演出を表示する演出表示部の表面の両方もしくはいずれか一方に、当該表示部に対面する方向から表示内容を視覚認識可能なフィルターを設けたことを特徴とする。
【手続補正書】
【提出日】平成17年1月31日(2005.1.31)
【手続補正１】
【補正対象書類名】明細書
【補正対象項目名】発明の名称
【補正方法】変更
【補正の内容】
【発明の名称】スロットマシン及び内部当選演出方法
【手続補正２】
【補正対象書類名】明細書
【補正対象項目名】特許請求の範囲
【補正方法】変更
【補正の内容】
【特許請求の範囲】
【請求項１】
縦横整列状態に配置された複数の可変図柄表示部を備え、これら可変図柄表示部の図柄がそれぞれ独立に変動し、その変動停止時に所定の入賞ライン上に位置する各可変図柄表示部の図柄が所定の組み合わせになると入賞となるスロットマシンであって、
開始レバーの操作に連動して入賞成立の可否を決める乱数抽選を行ない、その抽選結果が当選である場合、可変図柄表示部の図柄変動中に、当選した特定の図柄について複数の可変図柄表示部に連続的に移動表示されるように表示制御したこと、
を特徴とするスロットマシン。
【請求項２】
開始レバーの操作に連動して入賞成立の可否を決める乱数抽選を行なうと共に、縦横整列状態に配置された複数の可変図柄表示部の図柄がそれぞれ独立に変動し、その変動停止時に所定の入賞ライン上に位置する各可変図柄表示部の図柄が所定の組み合わせになると入賞となり、前記入賞を遊技者に事前に通知する内部当選演出方法であって、
前記抽選結果が当選である場合、可変図柄表示部の図柄変動中に、当選した特定の図柄について複数の可変図柄表示部に連続的に移動表示させる表示制御ステップを含むこと、
を特徴とする内部当選演出方法。
【手続補正３】
【補正対象書類名】明細書
【補正対象項目名】０００４
【補正方法】変更
【補正の内容】
【０００４】
【課題を解決するための手段】請求項１に係る本発明のスロットマシンは、上記の目的を達成する為に、縦横整列状態に配置された複数の可変図柄表示部を備え、これら可変図柄表示部の図柄がそれぞれ独立に変動し、その変動停止時に所定の入賞ライン上に位置する各可変図柄表示部の図柄が所定の組み合わせになると入賞となるスロットマシンであって、開始レバーの操作に連動して入賞成立の可否を決める乱数抽選を行ない、その抽選結果が当選である場合、可変図柄表示部の図柄変動中に、当選した特定の図柄について複数の可変図柄表示部に連続的に移動表示されるように表示制御したことを特徴とする。
請求項２に係る本発明の内部当選演出方法は、開始レバーの操作に連動して入賞成立の可否を決める乱数抽選を行なうと共に、縦横整列状態に配置された複数の可変図柄表示部の図柄がそれぞれ独立に変動し、その変動停止時に所定の入賞ライン上に位置する各可変図柄表示部の図柄が所定の組み合わせになると入賞となり、前記入賞を遊技者に事前に通知する内部当選演出方法であって、前記抽選結果が当選である場合、可変図柄表示部の図柄変動中に、当選した特定の図柄について複数の可変図柄表示部に連続的に移動表示させる表示制御ステップを含むことを特徴とする。
【手続補正書】
【提出日】平成17年3月11日(2005.3.11)
【手続補正１】
【補正対象書類名】明細書
【補正対象項目名】特許請求の範囲
【補正方法】変更
【補正の内容】
【特許請求の範囲】
【請求項１】
外周面に識別情報の付された回転体と、
該回転体を回転可能に支持する支軸を具備する支持フレームと、
所定の回転角度毎に回転駆動及び停止可能な駆動源と、
該駆動源の回転駆動力を前記回転体に伝達可能な駆動力伝達手段と
を備え、該回転体の回転に基づいて遊技を行うよう構成された遊技機であって、
前記駆動源を前記回転体外部において、前記支持フレームに固定したことを特徴とする遊技機。
【請求項２】
前記支持フレームは、前記回転体を囲むよう正面略方形状をなし、前記駆動源は前記支持フレームの天板部に固定されていることを特徴とする請求項１に記載の遊技機。
【請求項３】
前記支持フレームには、該支持フレーム内部と外部とを連通する連通部を有しており、該連通部に対応して前記駆動力伝達手段が位置するよう構成されていることを特徴とする請求項２に記載の遊技機。
【請求項４】
前記駆動源を制御するための制御基板を備え、該制御基板は、前記駆動源よりも下方位置に設けられていることを特徴とする請求項１乃至３のいずれかに記載の遊技機。
【請求項５】
前記回転体、駆動源、及び駆動力伝達手段は、いずれも遊技機本体内に設けられ、該本体のうち、前記駆動源の近傍には熱放散用の開口部が形成されていることを特徴とする請求項１乃至４のいずれかに記載の遊技機。
【手続補正書】
【提出日】平成17年3月11日(2005.3.11)
【手続補正１】
【補正対象書類名】明細書
【補正対象項目名】特許請求の範囲
【補正方法】変更
【補正の内容】
【特許請求の範囲】
【請求項１】
外周面に識別情報の付された回転手段を備え、該回転手段の回転に基づく遊技を行う遊技機であって、
所定の回転角度毎に回転駆動及び停止可能な駆動源と、
該駆動源の回転駆動力を前記回転手段に伝達可能な駆動力伝達手段と
を備え、前記駆動力伝達手段は、前記駆動源に設けられた駆動回転体と、前記回転手段に設けられた被動回転体と、前記駆動回転体及び被動回転体に架けられた無端条体とを具備し、前記駆動回転体及び被動回転体のうち少なくとも一方には、前記無端条体の脱落を防止するための脱落防止機構を設けたことを特徴とする遊技機。
【請求項２】
前記脱落防止機構は、前記駆動回転体及び被動回転体のうち少なくとも一方の側部又は両側に設けられたフランジによって構成されていることを特徴とする請求項１に記載の遊技機。
【請求項３】
外周面に識別情報の付された回転手段を備え、該回転手段の回転に基づく遊技を行う遊技機であって、
所定の回転角度毎に回転駆動及び停止可能な駆動源と、
該駆動源の回転駆動力を前記回転手段に伝達可能な駆動力伝達手段と
を備え、前記駆動力伝達手段は、前記駆動源に設けられた駆動回転体と、前記回転手段に設けられた被動回転体と、前記駆動回転体及び被動回転体に架けられた無端条体とを具備し、前記被動回転体は前記回転手段と同心円上に設けられ、該被動回転体の一方の側には、前記無端条体の脱落を防止するための円環状又は円板状の第１のフランジを設け、前記被動回転体の他方の側には、前記無端条体の脱落を防止するための円環状又は円板状の第２のフランジを設けたことを特徴とする遊技機。
【請求項４】
前記両フランジ間の距離が、外周縁側ほど広くなるよう構成されていることを特徴とする請求項３に記載の遊技機。
【請求項５】
前記回転手段は、一対の円環状の枠体及び該枠体に取着され外周面に識別情報の付された帯状フィルムからなり、前記第１のフランジは、前記枠体に取付けられていることを特徴とする請求項３又は４に記載の遊技機。
【請求項６】
前記第１のフランジが、前記第２のフランジよりも大径であることを特徴とする請求項５に記載の遊技機。
【手続補正書】
【提出日】平成17年3月11日(2005.3.11)
【手続補正１】
【補正対象書類名】明細書
【補正対象項目名】特許請求の範囲
【補正方法】変更
【補正の内容】
【特許請求の範囲】
【請求項１】
内部が中空状をなすとともに、外周面に識別情報の付された回転体を備え、該回転体の回転に基づく遊技を行う遊技機であって、
少なくとも前記回転体の原点角度位置を検出可能な原点検出手段を具備し、かつ、該原点検出手段が、前記回転体に対し設けられた被検出体と、前記回転体外部に設けられたセンサとによって構成されていることを特徴とする遊技機。
【請求項２】
内部が中空状をなすとともに、外周面に識別情報の付された回転体を備え、該回転体の回転に基づく遊技を行う遊技機であって、
前記回転体を回転させるべく、所定の回転角度毎に回転駆動及び停止可能な駆動源と、
少なくとも前記回転体の原点角度位置を検出可能な原点検出手段と、
少なくとも前記原点検出手段の検出結果に基づき前記駆動源を制御可能な制御手段と
を備え、前記原点検出手段は、前記回転体に対し設けられた被検出体と、前記回転体外部に設けられたセンサとによって構成されていることを特徴とする遊技機。
【請求項３】
前記駆動源は、前記回転体の回転中心から離間した位置に設けられていることを特徴とする請求項２に記載の遊技機。
【請求項４】
前記被検出体は、前記回転体に設けられた突起によって構成されていることを特徴とする請求項１乃至３のいずれかに記載の遊技機。
【請求項５】
前記センサは、前記回転体の１回転毎に前記突起の通過を許容するべく凹状に形成されていることを特徴とする請求項４に記載の遊技機。
【請求項６】
前記回転体を回転可能に支持する支軸を具備する支持フレームを備え、前記センサを前記支持フレーム側に設けたことを特徴とする請求項１乃至５のいずれかに記載の遊技機。
【請求項７】
前記回転体を回転可能に支持する支軸を具備する支持フレームを備えるとともに、該支持フレームに中継基板を固定するとともに、該中継基板に前記センサを設けたことを特徴とする請求項１乃至６のいずれかに記載の遊技機。
【手続補正書】
【提出日】平成17年3月24日(2005.3.24)
【手続補正１】
【補正対象書類名】明細書
【補正対象項目名】特許請求の範囲
【補正方法】変更
【補正の内容】
【特許請求の範囲】
【請求項１】
遊技球を取り込む取込手段と、
始動操作手段の操作に起因して複数種の識別情報を可変表示するとともに、停止操作手段の操作に起因して可変表示を停止する可変表示手段と
を備え、
前記取込手段により、所定数の遊技球が取り込まれると前記可変表示手段の可変表示を行う一遊技回の遊技を実行し得るとともに、該可変表示手段にて所定領域に停止された識別情報が特定識別情報である場合には所定の遊技価値を付与するように構成し、その特定識別情報として付与される遊技価値の異なる複数種のものが設定されており、前記可変表示手段の前記所定領域には内部抽選によって当選した特定識別情報或いは特定識別情報以外の識別情報が停止されるように構成された遊技機において、
遊技球を保持する球受皿を備え、その球受皿を前記取込手段に向けて遊技球を供給するように傾斜して設け、
遊技球の投入を行うべく操作される投入操作手段を備え、その投入操作手段の操作があると前記取込手段が遊技球の取り込みを開始するよう構成し、
前記取込手段による遊技球の取込中に遊技者に所定の情報を付与する情報付与手段を備え、その情報付与手段は、内部抽選によって既に特定識別情報が前記可変表示手段の前記所定領域に停止し得る状態にあることを示す情報を付与するものであることを特徴とする遊技機。
【請求項２】
前記情報付与手段による情報の付与が遊技球の取り込み処理中に行われる場合と行われない場合とが存在するように制御されることを特徴とする請求項１記載の遊技機。
【請求項３】
前記情報付与手段は表示手段であることを特徴とする請求項１又は２記載の遊技機。
【請求項４】
前記可変表示手段は、機械的表示手段によって構成されていることを特徴とする請求項１乃至３のいずれかに記載の遊技機。
【請求項５】
遊技球の払い出しにより前記遊技価値を付与する払出手段を備え、その払出手段は前記球受皿の傾斜上流側に遊技球を払い出すように構成されている請求項１乃至４のいずれかに記載の遊技機。
【手続補正書】
【提出日】平成17年1月25日(2005.1.25)
【手続補正１】
【補正対象書類名】明細書
【補正対象項目名】特許請求の範囲
【補正方法】変更
【補正の内容】
【特許請求の範囲】
【請求項１】
内層と外層とを有する医療用長尺体であって、
前記内層は、樹脂中にレーザ光の照射により発色し得る発色剤が添加されたものであり、
前記内層の外表面に、前記発色剤の発色による発色部が形成されており、
前記外層は、当該外層を通して前記発色部が視認可能な程度の透明性を有するものであることを特徴とする医療用長尺体。
【請求項２】
内層と外層とを有する医療用長尺体であって、
前記内層は、樹脂中にレーザ光の照射により発色し得る発色剤が添加されたものであり、
前記内層の外表面に、前記発色剤の発色による発色部が形成されており、
前記外層は、レーザ光が透過可能であるとともに、当該外層を通して前記発色部が視認可能な程度の透明性を有するものであることを特徴とする医療用長尺体。
【請求項３】
外表面に親水潤滑性コーティングおよび／または疎水潤滑性コーティングを有する請求項１または２に記載の医療用長尺体。
【請求項４】
前記外層は、前記内層の少なくとも前記発色
部を覆うように設置されている請求項１又は２に記載の医
療用長尺体。
【手続補正書】
【提出日】平成17年1月25日(2005.1.25)
【手続補正１】
【補正対象書類名】明細書
【補正対象項目名】特許請求の範囲
【補正方法】変更
【補正の内容】
【特許請求の範囲】
【請求項１】
内層と外層とを有する医療用長尺体であって、
前記内層は、樹脂中に造影剤が添加されたものであり、
前記外層は、樹脂中にレーザ光の照射により発色し得る発色剤が添加されたものであり、
前記外層の外表面に、前記発色剤の発色による発色部が形成されていることを特徴とする医療用長尺体。
【請求項２】
前記外層は、前記内層の少なくとも一部を覆うように設置されている請求項１に記載の医療用長尺体。
【請求項３】
前記外層の端部に前記内層の拡径した部位が連続して接合された部分を有する請求項１または２に記載の医療用長尺体。
【手続補正書】
【提出日】平成17年3月7日(2005.3.7)
【手続補正１】
【補正対象書類名】明細書
【補正対象項目名】００１７
【補正方法】変更
【補正の内容】
【００１７】
また本発明に係るシリンジバレル１０では、ルアロック部１３における各多条ネジ山１４よりも軸方向基端側の部分がそれぞれ貫通部１６とされる。ちなみに、かかる貫通部１６を設けるが故に、ネジ山１４，１４端部相互間にネジ山を有しない部分１５を設けて、ルアロック部１３と本体筒部１１との連続性を担保している。
【手続補正２】
【補正対象書類名】明細書
【補正対象項目名】００２０
【補正方法】変更
【補正の内容】
【００２０】
また、上記例では図１の例では、ルアロック部１３における本体筒部１１先端面１１ｐと各多条ネジ山１４の本体筒部１１側のフランク１４ｂとの間の部分がそれぞれ貫通部１６とされているが、本発明では図８に示すように、ルアロック部１３における各多条ネジ山１４よりも軸方向基端側の部分が貫通部１６とされる限り、貫通部１６の本体筒部１１側の端部は本体筒部１１の先端面１１ｐまで延在していなくても良い。ルアロック部１３の軸方向における貫通部１６の幅は、当該ルアロック部１３に螺合されるロック対象の凸部に応じて適宜定めることができる。
【手続補正３】
【補正対象書類名】明細書
【補正対象項目名】００２１
【補正方法】変更
【補正の内容】
【００２１】
（製造方法について）
次に、上述の図１に示すシリンジバレルの製造方法を説明する。図９は、上述の２条ネジ山１４及び貫通部１６を有するシリンジバレル１０の製造方法の概要を示しており、使用する型に特徴がある。すなわち、本発明では、ルアロック部１３における各多条ネジ山１４よりも軸方向基端側の部分をそれぞれ貫通部１６とするための凸型２０，２０と、ルアロック部１３内面のうち各多条ネジ山１４よりも軸方向基端側の部分１６を除く部分と対応する外周面形状、ならびに突出筒部１２と対応する形状とを有するコア型２１と、残部と対応する形状を有する図示しない外型とを用いる。
【手続補正４】
【補正対象書類名】明細書
【補正対象項目名】００２２
【補正方法】変更
【補正の内容】
【００２２】
更に詳細に説明すると、先ずコア型２１は基本的に円柱状をなしており、先端部２１ｐ（図中下端部）は筒状をなし、その内周面は突出筒部１２外周面と対応する形状のテーパー面とされており、その内部には、突出筒部１２の内周面と対応する形状の軸部が設けられている（図示せず）。また、コア型２１の先端部２１ｐ外周面には多条ネジ山１４と対応する部位から先端まで中心軸方向に沿って等幅で連続する溝部２１ｄ，２１ｄが形成されている。
【手続補正５】
【補正対象書類名】明細書
【補正対象項目名】００２４
【補正方法】変更
【補正の内容】
【００２４】
上述の図１に示すシリンジバレル例を製造するためには、かかる凸型２０，２０およびコア型２１を外型内の所定位置に配置して一体成型を行う。具体的には、凸型２０は多条ネジ山１４の条数と同数使用され、コア型２１の外周面に接して周方向に等間隔で配置される。よって、図示例の場合２条ネジのルアロック部１３を形成するため、２個の凸型２０，２０がコア型２１の中心軸に対して対向配置される。型枠内に材料を注入し型取りを終えたならば、外型を開いて成型品の排出を行う。この際、本発明では、コア型２１を回転させずにシリンジバレル１０の中心軸方向に沿って引き抜くとともに、凸型２０，２０を中心軸と直交する方向に沿ってそれぞれ回転させずに引き抜く。
【手続補正６】
【補正対象書類名】明細書
【補正対象項目名】００２７
【補正方法】変更
【補正の内容】
【００２７】
なお、貫通部１６が存在していてもルアロック部１３の連結機能には支障がないが、見栄え又は他の機能上これを無くしたいのであれば、他の塞ぎ部材によりこれを塞ぐことも可能である（図示せず）。このため貫通部１６と同形状の塞ぎ部材を貫通部１６内に嵌合または接着・融着することができる（図示せず）。また、貫通部１６よりも形状の大きなもの、例えば貫通部１６が存在する部分またはルアロック部１３全体の外周を取り囲むように環状の塞ぎ部材を被せ固定することもできる（図示せず）。またこの環状塞ぎ部材に替えて適宜数に分割した分割体を用いることもできる（図示せず）。
【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
外部から視認可能な部位の少なくとも一部に装飾手段を具備する遊技機であって、
前記装飾手段は、
所定の厚みを有する透光性部材と、
前記透光性部材の裏面側に配設された第１の識別対象と、
前記透光性部材の表面側に配設された第２の識別対象と、
前記透光性部材の表面側において、前記第１の識別対象に対応して複数設けられたレンズ状の透光性突片とを備え、前記第２の識別対象が第１の識別対象よりも、表面側に位置するかの如く視認されるよう構成したことを特徴とする遊技機。
【請求項２】
外部から視認可能な部位の少なくとも一部に装飾手段を具備する遊技機であって、
前記装飾手段は、
所定の厚みを有する透光性部材と、
前記透光性部材の裏面側に配設された第１の識別対象と、
前記透光性部材の裏面側に配設された第２の識別対象と、
前記透光性部材の表面側において、前記第１の識別対象に対応して複数設けられたレンズ状の透光性突片とを備え、前記第２の識別対象が第１の識別対象よりも、表面側に位置するかの如く視認されるよう構成したことを特徴とする遊技機。
【請求項３】
前記透光性部材の表面側において、前記第２の識別対象に対応する領域にあっては、前記透光性突片が配設されておらず、その領域は、前記第２の識別対象自身の領域よりも広く設定されていることを特徴とする請求項１又は２に記載の遊技機。  
【請求項４】
外部から視認可能な部位の少なくとも一部に装飾手段を具備する遊技機であって、
前記装飾手段は、
所定の厚みを有する透光性部材と、
前記透光性部材に対し配設された第１の識別対象と、
前記透光性部材に対し、前記第１の識別対象よりも表面側に配設された第２の識別対象とを備え、
前記透光性部材の表面側の、少なくとも前記第１及び第２の識別対象に対応する部位において、複数のレンズ状の透光性突片を配設し、
前記第２の識別対象が第１の識別対象よりも、表面側に位置するかの如く視認されるよう構成したことを特徴とする遊技機。
【請求項５】
前記装飾部材の裏面側に光源を配置したことを特徴とする請求項１乃至４のいずれかに記載の遊技機。
【手続補正書】
【提出日】平成17年2月4日(2005.2.4)
【手続補正１】
【補正対象書類名】明細書
【補正対象項目名】００２４
【補正方法】変更
【補正の内容】
【００２４】
平行リンク５Ｂの上下両端部は、ワーク支持機構部６の支持ベース６１およびリンクベース４のそれぞれに設けられたブラケット６９ｃ，４９ｂに軸４８ｃ，４８ｄを介して回転可能に連結されている。平行リンク５Ｂ、リンクベース４、第２のアーム２、および支持ベース６１も、それらの連結部を結ぶと図２の側面視において平行四辺形となるリンク機構を構成している。したがって、ワーク支持機構部６の全体は、上記したリンクベース４の姿勢が一定に維持される作用と相まって、第１のアーム１，１Ａや第２のアーム２の回転角度には関係なく、常に一定の水平姿勢を維持するようになっている。
【手続補正２】
【補正対象書類名】明細書
【補正対象項目名】図３
【補正方法】変更
【補正の内容】
【図３】
図１の矢視III の一部断面正面図である。
【手続補正３】
【補正対象書類名】図面
【補正対象項目名】図２
【補正方法】変更
【補正の内容】
【図２】
2003275980.tif 000001
【手続補正４】
【補正対象書類名】図面
【補正対象項目名】図３
【補正方法】変更
【補正の内容】
【図３】
2003275980.tif 000002
【手続補正書】
【提出日】平成16年10月25日(2004.10.25)
【手続補正１】
【補正対象書類名】明細書
【補正対象項目名】００３３
【補正方法】変更
【補正の内容】
【００３３】
ここで、図１（ｃ）を参照して説明すると、バイト４の刃先稜線、すなわち主切れ刃４５の中心を通るように、レンズ面成形面３１を規定している設計曲線Ｋに法線Ｖを引く。この法線Ｖが交差する曲線Ｋの位置に当該曲線の接線Ｔ（１）を引く。本例では、この接線Ｔ（1）の対して刃先稜線が平行になるように、バイト４の刃先４１の姿勢を決める。この姿勢を保持したままで、バイト４の刃先４１により、金型素材２０の表面に対して、曲線Ｋの法線Ｖの方向に切り込みを行う。金型素材２０はその中心軸線Ｌを中心に回転しているので、換言すると、バイトの刃先４１は円周方向に送られているので、１回の切れ込み動作によって、バイト刃先幅Ｗと同一幅の１本の輪帯状切削加工面３２（１）が形成される。図示の例では、レンズ面成形面３１における最も外周側の部分から切削を開始している。
【手続補正２】
【補正対象書類名】明細書
【補正対象項目名】００３４
【補正方法】変更
【補正の内容】
【００３４】
１本の輪帯状切削加工面３２（１）を形成した後は、図２（ｂ）において矢印で示すように、バイト４の刃先４１を金型素材２０の表面から一旦離し、当該切削加工面３２（１）に対して、バイトの送り方向４０に直交する方向（本例では半径方向の内側）に向けて、バイト刃先４１の幅Ｗよりも少ない距離だけ当該バイト刃先４１を移動させる。移動量は、バイト刃先幅Ｗの１０％〜５０％の範囲内とすればよい。この後は、バイト刃先４１を金型素材２０の表面に押し付けて、すなわち切り込んで２本目の輪帯状切削加工面３２（２）を隣接部分に形成さる。
【手続補正３】
【補正対象書類名】明細書
【補正対象項目名】００３７
【補正方法】変更
【補正の内容】
【００３７】
すなわち、曲率半径Ｒのレンズ設計曲線Ｋに引いた接線Ｔに平行に刃先４１を押し当てて、刃先の幅方向の両端４２、４３がちょうど曲線Ｋに接する位置まで切り込んだ状態、あるいは、刃先４１が接線Ｔに一致するまで切り込んだ状態において、最大誤差Ａが発生する。従って、この最大誤差Ａが設計許容誤差ａ以内になるようにすればよい。このために、刃先幅Ｗを次式のように設定すればよい。
【手続補正４】
【補正対象書類名】明細書
【補正対象項目名】００４０
【補正方法】変更
【補正の内容】
【００４０】
（ブレーズ形状および段差形状の切削方法）
次に、本例のバイト４の刃先４１はその両端に角４２、４３がついているので、これらの用いて、ブレーズ付きレンズを成形するためのレンズ金型の切削加工も行うことができる。
【手続補正５】
【補正対象書類名】明細書
【補正対象項目名】００４３
【補正方法】変更
【補正の内容】
【００４３】
これらの段差部分３４およびブレーズ部分３５を形成する際は、バイト４における主切れ刃４５により平面部分３４ａ、３５ａを切削し、角４３、４３を用いて端部３４ｂ、３５ｂを切削する。バイト４は、主切れ刃４５に対して、副切れ刃４６、４７が９０度から１２０度の角度で立ちあがっている。このため、バイト４をワークに押付けることで、副切れ刃４６、４７により段差部分３４およびブレーズ部分３５における端部３４ｂ、３５ｂの立ち上り形状を形成することができる。
【手続補正６】
【補正対象書類名】明細書
【補正対象項目名】００４４
【補正方法】変更
【補正の内容】
【００４４】
また、バイト４の一方の角を用いて、段差部分３４における中心軸線Ｌに対して外側から立ち上がる端部３４ｂを形成し、他方の角を用いて、ブレーズ部分３５における中心軸線Ｌ側に立ち上がる端部３５ｂを形成することができる。従って、段差部分３４およびブレーズ部分３５の立ち上がりの方向が逆の場合でも、バイト４を付け替えること無く、加工が可能である。
【手続補正書】
【提出日】平成16年11月22日(2004.11.22)
【手続補正１】
【補正対象書類名】明細書
【補正対象項目名】特許請求の範囲
【補正方法】変更
【補正の内容】
【特許請求の範囲】
【請求項１】
箱体(1) 、箱棒(2) 、及び蝶棒(3) を有すると共に、前記箱棒(2) 及び蝶棒(3) のテープ本体側の各側面に薄肉ガイド部(5,11)を介してそれぞれファスナーテープ上に隆起する突条ガイド部(4,10)が一体に成形されたスライドファスナー用の開離嵌挿具であって、
同開離嵌挿具がポリアセタール樹脂から構成され、
前記箱棒(2) 及び蝶棒(3) が前記箱体(1) に装着されたときの同箱体(1) の外側側面と各突条ガイド部(4,10)との間の間隔ｄと、前記薄肉ガイド部(5,11)の表面からの前記突条ガイド部(4,10)の隆起高さｈとが、次式（１）を満足してなることを特徴とするスライドファスナー用開離嵌挿具。
ｔａｎ-1（ｈ／ｄ）≧３３°    （１）
ただし、ｈ≠０
【手続補正２】
【補正対象書類名】明細書
【補正対象項目名】００１１
【補正方法】変更
【補正の内容】
【００１１】  請求項１に係る本発明によれば、従来の課題が解消されると同時に、前述のようなポリアセタール樹脂成形品の材質からくる不具合も解消される。本発明の基本的な構成は、箱体、箱棒及び蝶棒を有すると共に、前記箱棒及び蝶棒のテープ本体側の各側面に薄肉ガイド部を介してそれぞれファスナーテープ上に隆起する突条ガイド部が一体に成形されたスライドファスナー用の開離嵌挿具であって、同開離嵌挿具がポリアセタール樹脂から構成され、前記箱棒及び蝶棒が前記箱体に装着されたときの同箱体の外側側面と各突条ガイド部との間の間隔ｄと、前記ガイド溝の底面からの前記突条ガイド部の隆起高さｈとが、次式（１）を満足してなることを特徴とするスライドファスナー用開離嵌挿具にある。        ｔａｎ-1（ｈ／ｄ）≧３３°    （１）  ただし、ｈ≠０である。
【手続補正３】
【補正対象書類名】明細書
【補正対象項目名】００１２
【補正方法】変更
【補正の内容】
【００１２】  ｔａｎ-1（ｈ／ｄ）の値が３３°より小さいと、箱棒又は蝶棒と突条ガイド部との間の薄肉ガイド部を中心に大きく屈曲するようになり、同薄肉ガイド部が容易に割れてしまう。ｔａｎ-1（ｈ／ｄ）の値が３３°以上であれば、突条ガイド部が箱体の側面に当接し、それ以上の曲げが生じず、割れが防げる。なお、箱体の外側側面と各突条ガイド部との間の間隔ｄ、すなわち薄肉ガイド部の幅寸法を０とすると箱棒や蝶棒を箱体の挿入孔に挿入しにくくなり、操作の煩雑性が増す。因みに、従来のナイロン製の開離嵌挿具にあっては、前記ｔａｎ-1（ｈ／ｄ）の値が１２°と極めて小さい。
【手続補正４】
【補正対象書類名】明細書
【補正対象項目名】００２０
【補正方法】変更
【補正の内容】
【００２０】  本発明にあって、最も特徴とする構成は、箱棒２及び蝶棒３のテープ本体側の各側面に薄肉ガイド部５，１１を介して、それぞれファスナーテープ面から隆起する突条ガイド部４，１０が一体に成形されるスライドファスナー用の開離嵌挿具の構成材料をポリアセタール樹脂材料に限定している点にあり、同時に図２に示すように、前記箱棒２及び蝶棒３が前記箱体１に装着されたときの、同箱体１の外側面と各突条ガイド部４，１０との間の間隔をｄとし、前記薄肉ガイド部５，１１の表面からの前記突条ガイド部４，１０の隆起高さをｈとすると、間隔ｄと薄肉ガイド部５，１１の表面からの突条ガイド部４，１０の隆起高さｈとが、ｔａｎ-1（ｈ／ｄ）≧３３°の関係を満足させる点にある。
【手続補正５】
【補正対象書類名】明細書
【補正対象項目名】００２３
【補正方法】変更
【補正の内容】
【００２３】  図４は本発明によるポリアセタール樹脂製の開離嵌挿具の折曲げ限界を模式的に示したものであり、図５に図４と対比するための参考として、従来のナイロン製開離嵌挿具の折曲げ状態を模式的に示している。これらの図において、本発明の開離嵌挿具にあってはポリアセタール樹脂を使っているがため、その折曲げ限界となるｔａｎ-1（ｈ／ｄ）の値、すなわち図３における突条ガイド部４，１０の内側稜線部が箱体１の外側面に当接したときの箱体１の外側面と薄肉ガイド部５，１１の表面とのなす角度θが３３°であるが、従来のナイロン製の開離嵌挿具では、ナイロンが柔軟性を有しているがため、通常、前記θが３３°よりも極端に小さい１２°としても、或いはそれ以上としても割れが生じない。
【手続補正書】
【提出日】平成16年11月30日(2004.11.30)
【手続補正１】
【補正対象書類名】明細書
【補正対象項目名】００１１
【補正方法】変更
【補正の内容】
【００１１】
スイッチ装置１０は、その基部に樹脂成形品であるベース１２を備えている。ベース１２は略円盤状のフランジ部１４を有しており、そのフランジ部１４の略中央部には突出部１６が突設されている。突出部１６は、図３でも示すように、断面が略Ｈ字状に形成されており、これにより強度が増強されている。突出部１６の両側面には、直線的に延びる溝状凹部１８がそれぞれ形成されている。突出部１６の基部の両側には２つのバルブケース２０が設けられている。前記突出部１６は、これらのバルブケース２０を区切るように形成されている。これらのバルブケース２０によって囲まれた内部に、発色光の色が異なる２つのバルブ（光源）２２，２３がそれぞれ配置されている。
【手続補正２】
【補正対象書類名】明細書
【補正対象項目名】００１９
【補正方法】変更
【補正の内容】
【００１９】
プッシュノブ３０の外周にはロータ５０が装着されている。ロータ５０は、円筒部５２とフランジ部５６とからなり、その軸中心に挿通孔５４を有している。プッシュノブ３０はロータ５０の挿通孔５４に進退可能に取り付けられている。ロータ５０のフランジ部５６のベース１２側の端面には可動ターミナル５８が固定されており、この可動ターミナル５８がベース１２上の固定ターミナル２４に接触可能になっている。
【手続補正書】
【提出日】平成17年9月2日(2005.9.2)
【手続補正１】
【補正対象書類名】明細書
【補正対象項目名】発明の名称
【補正方法】変更
【補正の内容】
【発明の名称】中性点接地方式のＸ線発生装置及びこれを用いたＸ線ＣＴ装置
【手続補正２】
【補正対象書類名】明細書
【補正対象項目名】特許請求の範囲
【補正方法】変更
【補正の内容】
【特許請求の範囲】
【請求項１】
交流電源と並列に接続された複数の一次巻線と前記一次巻線に対応した複数の二次巻線とを有し前記交流電源の電圧が昇圧されるように前記一次巻線と二次巻線の巻数比が設定される高電圧変圧器と、
この高電圧変圧器の複数の一次巻線に流れる電流に含まれるコモンモード電流を除去するコモンモード電流除去手段と、
前記高電圧変圧器の前記複数の二次巻線にそれぞれ接続され、それぞれの前記一次巻線でのコモンモード電流が除去された前記高電圧変圧器における二次巻線の出力を直流に変換する複数の高電圧整流回路と、
前記複数の高電圧整流回路のうちの一の直流出力の負端子と前記一の高電圧整流回路と異なる他の直流出力の正端子とを接続されこの端子が接地されると共に、前記一の高電圧整流回路の直流出力の正端子にアノード側が接続されると共に、前記他の高電圧整流回路の直流出力の負端子がカソード側に接続されてＸ線を放射するＸ線管と、
を備えたことを特徴とする中性点接地方式のＸ線発生装置。
【請求項２】
前記コモンモード電流除去手段は、前記第一の一次巻線に流れる電流の向きと前記第二の一次巻線に流れる電流の向きとが逆になるように透磁率の大きい磁性材料の第一のコアに前記第一の一次巻線と第二の一次巻線とを貫通させてなる請求項１に記載の中性点接地方式のＸ線発生装置。
【請求項３】
前記コモンモード電流除去手段は、前記交流電源の一端と前記第一の一次巻線とを接続する第一の導体に流れる電流の向きと、前記交流電源の他端と前記第二の一次巻線とを接続する第二の導体に流れる電流の向きとが逆になるように透磁率の大きい磁性材料の第一のコアに前記第一の導体と第二の導体とを貫通させてなる請求項１に記載の中性点接地方式のＸ線発生装置。
【請求項４】
前記コモンモード電流除去手段は、前記Ｘ線管のアノードと前記接地された端子と間に流れる第１の電流の一部を、前記接地された端子と前記Ｘ線管のカソードと間に流れる第２の電流に、前記第１の電流と前記第２の電流のそれぞれが均衡するように加算すること特徴とする請求項１に記載の中性点接地方式のＸ線発生装置。
【請求項５】
Ｘ線管及びＸ線高電圧装置を含むＸ線発生装置と、前記Ｘ線管に対向して置かれたＸ線検出器と、これらＸ線源及びＸ線検出器を保持し、被検体の周りを回転駆動される回転円板と、前記Ｘ線検出器で検出されたＸ線の強度に基づいて前記被検体の断層像を画像再構成する画像再構成手段とを備えたＸ線ＣＴ装置において、前記Ｘ線発生装置として請求項１〜４の何れかに記載の中性点接地方式のＸ線発生装置を用いたことを特徴とするＸ線ＣＴ装置。
【手続補正書】
【提出日】平成16年6月11日(2004.6.11)
【手続補正１】
【補正対象書類名】明細書
【補正対象項目名】特許請求の範囲
【補正方法】変更
【補正の内容】
【特許請求の範囲】
【請求項１】
駆動装置によって再生可能な、取り外し可能な記録媒体であって、
前記記録媒体に記録された情報の保有者を特定し、第３者による使用を禁止された固有情報と、
演算処理された管理情報と、
を有する、取り外し可能な記録媒体。
【請求項２】
前記管理情報は、前記駆動装置による前記記録媒体の駆動に使用される情報であって、予め定められたアルゴリズムに従って演算処理される、請求項１に記載の取り外し可能な記録媒体。
【請求項３】
前記記録媒体への情報の記録に基づいて決定される履歴情報をさらに備える、請求項１又は２に記載の記録媒体。
【請求項４】
駆動装置によって再生可能な、取り外し可能な記録媒体であって、
前記記録媒体に記録された情報の保有者を特定する固有情報と、
前記記録媒体への情報の記録に基づいて決定される履歴情報と、
前記駆動装置による前記記録媒体の駆動に使用される管理情報を、前記固有情報と前記履歴情報とに基づいて演算処理した、演算管理情報と、
を有する、取り外し可能な記録媒体。
【請求項５】
前記固有情報は前記記録媒体の製造者を特定する、請求項１又は４に記載の取り外し可能な記録媒体。
【請求項６】
前記履歴情報は、前記記録媒体の製造工程において予め記録され、前記記録媒体の製造工程における製造条件に基づいて決定された情報である、請求項３又は４に記載の取り外し可能な記録媒体。
【請求項７】
前記履歴情報は、前記記録媒体を製造するスタンパを特定する情報もしくは前記記録媒体の製造時を特定する情報を有している、請求項６に記載の取り外し可能な記録媒体。
【請求項８】
前記固有情報は前記保有者以外の第３者による使用を禁止された情報である、請求項４に記載の取り外し可能な記録媒体。
【請求項９】
前記固有情報は、前記記録媒体の製造者の名称、登録商標及び署名から構成される群から選択される、請求項１又は４に記載の取り外し可能な記録媒体。
【請求項１０】
前記固有情報は前記記録媒体の製造工程において書き換え不能に予め記録される、請求項１又は４に記載の取り外し可能な記録媒体。
【請求項１１】
前記固有情報と前記履歴情報は前記記録媒体の製造工程において書き換え不能に予め記録される、請求項３又は４に記載の取り外し可能な記録媒体。
【請求項１２】
取り外し可能な記録媒体の駆動装置であって、
前記記録媒体から、前記記録媒体に記録された情報の保有者を特定し第３者の使用が禁止された固有情報と、前記駆動装置による前記記録媒体の駆動に使用される管理情報を演算処理した演算管理情報とを読み出す、読み出し手段と
前記読み出し手段によって読み出された固有情報に基づいて、前記管理情報を取得するために、前記演算管理情報を演算処理する、管理情報処理手段と、
前記管理情報処理手段によって取得された管理情報に基づいて、前記記録媒体の駆動を制御する制御手段と、
を有する、取り外し可能な記録媒体の駆動装置。
【請求項１３】
前記読み出し手段は、前記記録媒体への情報の記録に基づいて決定される履歴情報をさらに読み出し、
前記管理情報処理手段は、前記読み出し手段によって読み出された固有情報と履歴情報とに基づいて、前記管理情報を取得するために、前記演算管理情報を演算処理する、
請求項１２に記載の取り外し可能な記録媒体の駆動装置。
【請求項１４】
取り外し可能な記録媒体の駆動装置であって、
前記記録媒体から、前記記録媒体に記録された情報の保有者を特定する固有情報と、前記記録媒体への情報の記録に基づいて決定される履歴情報と、前記駆動装置による前記記録媒体の駆動に使用される管理情報を演算処理した演算管理情報と、を読み出す、読み出し手段と
予めＩＣチップ内に形成された管理情報処理手段であって、前記読み出し手段によって読み出された固有情報と履歴情報とに基づいて、前記管理情報を取得するために、前記演算管理情報を演算処理する、管理情報処理手段と、
前記管理情報処理手段によって取得された管理情報に基づいて、前記記録媒体の駆動を制御する制御手段と、
を有する、取り外し可能な記録媒体の駆動装置。
【請求項１５】
取り外し可能な記録媒体の情報の再生および／もしくは情報の記録の制御方法であって、
（ａ）前記記録媒体から、前記記録媒体に記録された情報の保有者を特定する固有情報を読み出す、ステップと、
（ｂ）前記記録媒体への情報の記録に基づいて決定される履歴情報を読み出す、ステップと、
（ｃ）前記駆動装置による前記記録媒体の駆動に使用される管理情報を演算処理した演算管理情報を読み出す、ステップと、
（ｄ）前記読み出された固有情報と履歴情報とに基づいて前記演算管理情報を演算処理し、前記管理情報を取得する、ステップと、
（ｅ）前記取得された管理情報に基づいて、前記記録媒体の情報の再生および／もしくは情報の記録を制御する、ステップと、
を有する、取り外し可能な記録媒体のデータの再生および／もしくはデータの記録の制御方法。
【請求項１６】
取り外し可能な記録媒体の情報の再生および／もしくは情報の記録の制御方法であって、
（ａ）前記記録媒体から、前記記録媒体に記録された情報の保有者を特定し、第３者による使用を禁止された固有情報を読み出す、ステップと、
（ｂ）前記駆動装置による前記記録媒体の駆動に使用される管理情報を演算処理した演算管理情報を読み出す、ステップと、
（ｃ）前記読み出された固有情報に基づいて前記演算管理情報を演算処理し、前記管理情報を取得する、ステップと、
（ｄ）前記取得された管理情報に基づいて、前記記録媒体の情報の再生および／もしくは情報の記録を制御する、ステップと、
を有する、取り外し可能な記録媒体のデータの再生および／もしくはデータの記録の制御方法。